(57)【要約】【課題】少ない部品点数で、商品の組立性と信頼性および施工性の向上を図ることのできる回路ブロックユニットおよび照明器具を提供する。【解決手段】ランプソケット１８と、このランプソケット１８に出力部が接続された回路ブロック１９と、この回路ブロック１９の入力部に接続された端子を有する端子台５４と、この端子台５４を固定した端子台固定板１４５と、回路ブロック１９を収納するブロック収納部１４７を内部に有しランプソケット１８をはめ込むことによりそのランプ接続側を外部に露出させる貫通穴付嵌合部１４８を内部に有し端子台固定板１４５を固定する固定部１４６を内部に有するブロックケース１４０とを備え、端子台固定板１４５にランプソケット１８のランプ接続側と反対側を押えるばね部１５１を設けている。【選択図】  図１
2004185843.tif 000002
【特許請求の範囲】
【請求項１】
ランプソケットと、このランプソケットに出力部が接続された回路ブロックと、この回路ブロックの入力部に接続された端子を有する端子台と、この端子台を固定した端子台固定板と、前記回路ブロックを収納するブロック収納部を内部に有し前記ランプソケットをはめ込むことによりそのランプ接続側を外部に露出させる貫通穴付嵌合部を前記内部に有し前記端子台固定板を固定する固定部を前記内部に有するブロックケースとを備え、前記端子台固定板に前記ランプソケットの前記ランプ接続側と反対側を押えるばね部を設けたことを特徴とする回路ブロックユニット。
【請求項２】
前記回路ブロックと前記ランプソケットとがリード線により配線され、前記端子台固定板は前記ランプソケットに被さるように配置され、前記リード線と交差する端部を曲面形成した請求項１記載の回路ブロックユニット。
【請求項３】
前記回路ブロックは基板に部品を実装した構成であり、前記ブロック収納部の両側面に前記基板の両側を挿入するレール部を設け、前記回路ブロックに設けられた係止孔に係止する突起部を設けた請求項１または請求項２記載の回路ブロックユニット。
【請求項４】
前記ブロックケースは、前記端子台固定板の先端を保持するフック部と前記先端の横ずれを防止するガイド部と、前記端子台固定板の後端側を着脱自在に保持する保持部とを有する請求項１、請求項２または請求項３記載の回路ブロックユニット。
【請求項５】
略コ字状の電源ユニットと、この電源ユニットの内空間に配置される請求項１、請求項２、請求項３または請求項４記載の回路ブロックユニットと、この回路ブロックユニットを取付けた取付具とを備え、前記電源ユニットは前記回路ブロックユニットを介して前記取付具に取付けられように、前記回路ブロックユニットの外側面に係止部を設け、前記電源ユニットに前記係止部に係止する爪部を設けている照明器具。
【請求項６】
前記電源ユニットの内側面に突起部を設け、前記ブロックケースの外側面に前記突起部が嵌合する凹部を設けた請求項５記載の照明器具。
【発明の詳細な説明】
【０００１】
【発明の属する技術分野】
本発明は、例えば非常用照明器具などに用いられる、回路ブロックユニットおよび照明器具に関するものである。
【０００２】
【従来の技術】
従来より天井面に取付けられる非常用照明器具で、器具高さを低くし、施工スペースが少なくてすむように、筒形の器具本体の径方向に回路ブロックと電池ケースを分配したもの（特許文献１参照）や、略Ｃ字形の電池ユニットの内側に回路ブロックを配置したもの（特許文献２参照）があった。
【０００３】
これらの照明器具では、電源線に接続する端子台を裏面側に取付けているが、その端子台取付金具が先端側の取付の際に左右方向の拘束がなく、ただねじ止めすることだけで固定されていた。
【０００４】
また、ランプを装着するランプソケットを前面側に設けているが、ランプソケットをランプ中心と反射板中心の一致のため付勢するのにシリコンゴムを利用していた。
【０００５】
【特許文献１】
特開平１１−１７６２１７号公報
【特許文献２】
特開平５−１９０００７号公報
【０００６】
【発明が解決しようとする課題】
上記従来例は、端子台取付金具の先端側の取付の際左右方向の拘束がないので、端子台取付金具を手で位置決めしながらねじ止めする必要があり、作業性がよくなかった。
【０００７】
また、ランプソケットを可動にする上でのばね性（外向きの力）を出させるのにシリコンゴムを利用した場合、部品点数が増加し、また長期間使用されると、ゴムの劣化によりばね性が低下する可能性があり、さらにその組立加工性が良くなく作業効率が悪かった。
【０００８】
本発明は、上記の点に鑑みて成されたものであり、その目的とするところは、少ない部品点数で、商品の組立性と信頼性および施工性の向上を図ることのできる回路ブロックユニットおよび照明器具を提供することにある。
【０００９】
【課題を解決するための手段】
請求項１記載の回路ブロックユニットは、ランプソケットと、このランプソケットに出力部が接続された回路ブロックと、この回路ブロックの入力部に接続された端子を有する端子台と、この端子台を固定した端子台固定板と、前記回路ブロックを収納するブロック収納部を内部に有し前記ランプソケットをはめ込むことによりそのランプ接続側を外部に露出させる貫通穴付嵌合部を前記内部に有し前記端子台固定板を固定する固定部を前記内部に有するブロックケースとを備え、前記端子台固定板に前記ランプソケットの前記ランプ接続側と反対側を押えるばね部を設けたことを特徴とするものである。
【００１０】
請求項１記載の回路ブロックユニットによれば、端子固定板を回路ブロックケースに固定することにより、端子固定板のばね部でランプソケットの後端部を押さえたため、ランプソケットが可動になるとともに、従来例と比較して部品点数を削減でき、ランプ点灯時の熱影響がほとんどなく、商品の組み立て性と信頼性を向上することができる。
【００１１】
請求項２記載の回路ブロックユニットは、請求項１において、前記回路ブロックと前記ランプソケットとがリード線により配線され、前記端子台固定板は前記ランプソケットに被さるように配置され、前記リード線と交差する端部を曲面形成したものである。
【００１２】
請求項２記載の回路ブロックユニットによれば、請求項１と同様な効果のほか、リード線が端子固定板の端部に接触しても曲面に形成されているためリード線の被覆がはがれることがなく安全性が図れる。
【００１３】
請求項３記載の回路ブロックユニットは、請求項１または請求項２において、前記回路ブロックが基板に部品を実装した構成であり、前記ブロック収納部の両側面に前記基板の両側を挿入するレール部を設け、前記回路ブロックに設けられた係止孔に係止する突起部を設けたものである。
【００１４】
請求項３記載の回路ブロックユニットによれば、請求項１または請求項２と同様な効果のほか、レール部に沿った取付けだけで、他の部品等を追加せずに確実な取付固定が可能となる。また回路ブロックの取付けが簡単で取付精度を高くすることができる。
【００１５】
請求項４記載の回路ブロックユニットは、請求項１、請求項２または請求項３において、前記ブロックケースが、前記端子台固定板の先端を保持するフック部と前記先端の横ずれを防止するガイド部と、前記端子台固定板の後端側を着脱自在に保持する保持部とを有するものである。
【００１６】
請求項４記載の回路ブロックユニットによれば、請求項１、請求項２または請求項３と同様な効果のほか、ガイド部により端子台固定板の横ずれが防止されるのでフック部に引っ掛けるとともに保持部で保持する取付け作業が容易になる。
【００１７】
請求項５記載の照明器具は、略コ字状の電源ユニットと、この電源ユニットの内空間に配置される請求項１、請求項２、請求項３または請求項４記載の回路ブロックユニットと、この回路ブロックユニットを取付けた取付具とを備え、前記電源ユニットは前記回路ブロックユニットを介して前記取付具に取付けられように、前記回路ブロックユニットの外側面に係止部を設け、前記電源ユニットに前記係止部に係止する爪部を設けているものである。
【００１８】
請求項５記載の照明器具によれば、取付具に回路ブロックユニットを取付け、電源ユニットを回路ブロックユニットに係止することにより電源ユニットを取付具に取付けることができ、取付具の電源ユニット取付け手段を簡略化できる。
【００１９】
請求項６記載の照明器具は、請求項５において、前記電源ユニットの内側面に突起部を設け、前記ブロックケースの外側面に前記突起部が嵌合する凹部を設けたものである。
【００２０】
請求項６記載の照明器具によれば、請求項５と同様な効果のほか、電源ユニットとブロックケースとの係止がより外れにくくなり、電源ユニットおよび回路ブロックを取付ける取付具に設ける横ずれ防止手段を簡略化できる。
【００２１】
【発明の実施の形態】
以下、本発明の実施の形態について図面に基づき説明する。
【００２２】
この発明の一実施の形態を図１から図１５に基づいて説明する。すなわち、この照明器具は、図１および図２に示すように、取付具１と、回路ブロックユニット２と、電源ユニット３を有する。
【００２３】
取付具１は、平板状であって取付面、例えば天井面４に取付ける取付部５を有し、かつ回路ブロックユニット係止部６を有する。まず天井面４には電源線引出穴７を有し、電源線引出穴７より電源線８を引出している。取付具１は例えば金属製の円板であり、外周に周壁９を有し、この周壁９の端部から外方に延びたフランジ部１０を有する。図３に示すように取付具１の中央部に電源線用穴１６を形成し、その両側に取付部５を形成している。一側側の取付部５は１個の鍵穴形ないしだるま形孔であり、他側側の取付部５は２個並列に並んだ長孔により形成している。回路ブロックユニット係止部６は取付具１の表面との間に進入用隙間１２を形成する挟持部１１と、フランジ部１０に形成されたスリット１３とを有する。挟持部１１は切起こしにより鉤形に形成され、その先端にねじ孔１４を形成している。この挟持部１１は一対有し、取付具１の中央に向けて略ハの字形に配置されている。スリット１３も一対有し、取付具１の中央を間にして挟持部１１と反対側のフランジ部１０に形成している。フランジ部１０のスリット１３間には回路ブロックユニット２の回路ブロックの放熱用の孔１５を複数形成している。なお、取付具１のフランジ部１０に一対の切欠き４５が形成され、切欠き４５の端部にガイド部４６が延出し、ガイド部４６の付根側で取付具１の裏面に押さえ片４７を設けている。
【００２４】
回路ブロックユニット２は、ランプソケット１８および回路ブロック１９をブロックケース１４０に内蔵し、回路ブロックユニット係止部６に係止される被係止部２０を有する。実施の形態におけるブロックケース１４０は回路ブロック１９を収納するブロック収納部１４７を内部に有し、ランプソケット１８をはめ込むことによりそのランプ接続側を外部に露出させる貫通穴付有底穴形状の嵌合部１４８をブロック収納部１４７に隣接して設け、さらに端子台固定板１４５を固定する固定部１４９を内部に設けている。
【００２５】
回路ブロック１９は充電回路、点灯回路およびモニタランプの点検スイッチ回路を有する。この回路ブロック１９は基板１７０に電子部品１９０を実装した構成であり、ブロック収納部１４７の両側面のランプソケット１８に近い側に基板１７０の両側を挿入するレール部１７０を設け、これに基板１７０を挿着して回路ブロック１９を保持している。レール部１７０は平行な一対のリブ条により形成している。さらに回路ブロック１９に設けられた係止孔１２２に係止する突起部１７３を設け、基板１７０を抜止めしている。係止孔１７２は基板１７０の一側部の先端に形成され、突起部１７３はレール部１７０を形成する一方のリブ条より延出した突出板１７４に形成されている。突起部１７３の先端には基板１７０がレール部１７１内を入ってくるときガイドとなるように傾斜面を付け、突出板１７４の樹脂弾性により突起部１７３が係止孔１７２に係止する。ブロック収納部１４７の底部には突出板１７４に対向して覗き穴１７５を形成し、突起部１７３が係止孔１７２に係止した状態を確認のため覗くことができるようになっている。
【００２６】
そして回路ブロック１９の出力部がリード線１４１によりランプソケット１８に接続され、回路ブロック１９の入力部が端子台５４の端子１８にリード線１４２により接続されている。
【００２７】
ランプソケット１８は嵌合部１４８に嵌合収納されている。この場合、ランプソケット１８に回転止め片１８ａを設け、嵌合部１４８に回転止め片１８ａを受ける受け部１４８ａを形成し、また回路ブロック１９と接続したリード線１４１の中間部を位置決めするリード線挟持部１７５を嵌合部１４８とブロック収納部１４７の間に形成している。リード線１４１はリード線挟持部１７５から基板１７０に沿って配線され基板１７に設けた切欠き１７０ａを乗り越えて回路ブロック１９の出力部に接続される。
【００２８】
端子台５４は端子台固定板１４５に係止手段１４６によりワンタッチ固定されている。端子は速結式であり、５４ａは電源線接続孔、５４ｂはリード線１４２の接続孔である。係止手段１４６は例えば図１２に示すように、端子台５４の両端面より取付方向に突出した係止爪１４６ａと位置決め突起１４６ｂにより形成している。端子固定板１４５にはランプソケット１８のランプ接続側と反対側を押えるばね部１５１を設けている。ここで端子台固定板１４５は図１１に示すようにばね材の板により形成され、ばね部１５１はその中央に切起こしにより形成し、その先端に押さえ突起１５２をたたき出している。ばね部１５１の両側に位置決め突起１４６ｂに嵌合する端子台位置決め孔１５３を形成するとともに、ばね部１５１の上下位置に係止爪１４６ａが係止する係止孔１８０を形成している。さらに後端寄りの両側に位置決め用切欠き１８５を形成するとともに後端部両側に取付孔１８６を形成している。端子台固定板１４５はランプソケット１８に被さるように配置されるため、リード線１４１と交差する端部１４５ａを例えば折曲により曲面に形成している。端子台固定板１４５を固定するため、ブロックケース１４０には、図６に示すように端子台固定板１４５の先端を保持するフック部１６０と先端の横ずれを防止するガイド部１６１と、端子台固定板１４５の後端側を着脱自在に保持する保持部１６２とを有する。保持部１６２は実施の形態においてブロック収納部１４７の側部に立設した一対の支柱により形成し、その端面に取付孔１８６に整合するねじ孔１６３を形成し、端面の互いに反対側に位置決め突片１６４を形成している。さらに切欠き１８５に嵌合する位置決め突起１６６を突設している。なおガイド部１６１の一方は垂直に曲がった補助ガイド部１６１ａを有し、端子台固定板１４５に形成した切欠き部１４５ｂに係合している。
【００２９】
回路ブロックユニット２の被係止部２０は、回路ブロックユニット２を取付具１の表面に当接しスライドすることにより回路ブロックユニット係止部６に係止するように形成されている。すなわち被係止部２０は回路ブロックユニット２をスリット１３から挟持部１１の方向（図３（ｃ）の矢印）へスライドしたとき、挟持部１１の進入用隙間１２に嵌合する被挟持部２１と、スリット１３に係合する被係合部２２とを有する。被挟持部２１は回路ブロックユニット２の先端角部に形成され、ねじ孔１４に整合するねじ挿通孔２７を形成し、挟持部１１の切起こしにより形成された穴を通してねじ挿通孔２７側からねじ（図示せず）を挿通し、ねじ孔１４に螺合される。回路ブロックユニット２の後端側はフランジ部１０の放熱孔１５上に位置しかつ、フランジ部１０から浮くように切欠き形成されている。被係合部２２は略Ｌ字形であって、回路ブロックユニット２の後端側の両側よりフランジ部１０に向けて突出し、その先端のかぎ部がスリット１３に係止して抜止めとなる。この回路ブロックユニット２は取付具１上で取付具１の電源線用穴１６のある中央部からスリット１３のある一周縁部の範囲に位置し、その中央部に対応してランプソケット１８を有するとともに被挟持部２１の間に係止部となる電源ユニット取付部２３を有する。また回路ブロックユニット２は取付具１の中央部から一縁部に延びる方向と直角な方向となる側面に凹部２４を有する。凹部２４は回路ブロックユニット２の両側面に有し、凹部２４に対応する取付具１に取付部５を有する。また被挟持部２１の上側にも逃げ凹部５０を形成している。さらに回路ブロックユニット２は後端部の一側面にコネクタ受け部２５を有し、取付具側と反対側の面にモニタランプ点検スイッチの引き部５１を露出し、その近傍に放熱孔５３を形成している。またランプソケット１８の後端側に位置する速結型の端子５４が電源線穴１６に臨み、これに電源線８を接続している。図３（ｂ）において、３３は電源線８の接続部カバーであり、ねじ５６とナット５７により取付具１に取付けている。
【００３０】
電源ユニット３は、略コ字形であって、取付具１上の回路ブロックユニット２の周囲に配置している。実施の形態の電源ユニット３は、略コ字形の電池ケース６０と、蓋部６１からなる電池収納ボックス１２０内に素電池群例えば複数の充電電池６２からなる電池ユニットを収納している。
【００３１】
電池ケース６０の内底部には、その両側にリブ１２２を形成し、充電電池６２の内底部側端部を支持するとともに電池ケース６０の内底面と充電電池６２との間にリード１２１が通るスペースを形成している。実施の形態のリブ１２２は図１５に示すように、電池ケース６０の内周壁および外周壁より内側の位置でそれらに平行に形成され、リブ１２２の相互は電池の直径よりも小さい間隔になっているとともに、リブ１２２と内周壁および外周壁との間に補助リブ１２３を形成している。このリブ１２２に充電電池６２が載ると充電電池６２が底面から浮いて支持されるのでそのスペースにリード１２１が収納されることとなる。リード１２１は例えば矩形板を用い、隣接する充電電池と６２の各電極に両端を例えばスポット溶接により接続している。
【００３２】
電池ケース６０は一側部に電池ユニットを出し入れする略コ字形の開口部１２３を有し、開口部１２３を塞ぐ略コ字形の蓋部６１を設けている。電池ケース６０の内側面に電池ユニットの充電電池６２を保持する縦リブ６９を有し、縦リブ６９に蓋部６１に設けた係止爪６６を例えば着脱自在に受ける爪受け部６７を設けている。実施の形態では、蓋部６１の内外周にそれぞれ複数の係止爪６６を電池ケース６０に向けて突出し、電池ケース６０に爪受け部６７を形成している。この場合、内周側は縦リブ６９以外の箇所に係止爪６６および爪受け部６７を突出させ、外周側はケース６０内に突出するように縦リブ６９の外面に形成した溝内に爪受け部６７を形成し、係止爪６６をこれに対応して蓋部６１に形成している。なお係止爪６６を電池ケース６０に設け爪受け部６７を蓋部６１に設けてもよい。
【００３３】
蓋部６１は外表面にフランジ部１０に載置する当接面３５を有するとともに周壁９の内周に当接する段部３６を有し、かつ電池ケース６０に回路ブロックユニット２の電源ユニット取付部２３に係止する爪部である被取付部３７を有する。段部３６は略円形状に形成され、取付具１に略垂直に周壁９に嵌合した状態で取付具１の径方向にスライドできないようにしている。そして内周の一対の係止爪６６および爪受け部６７の組で電源ユニット３の内側面に設けた、凹部２４に嵌合する突起部３８を兼ねている。内周側の残りの一対の係止爪６６および爪受け部６７の組は逃げ凹部５０に位置する。
【００３４】
ケース６０内には上記したように電池ユニットが収納されている。電池ユニットは複数の充電電池６２を電池ケース６０に合わせて略コ字状に横並べし各充電電池６２の電極相互間をリード１２５により接続したものである。複数の充電電池６２は直列に接続されている。各充電電池６２は電池ケース６０の縦リブ６９により位置決めされかつ電池相互が仕切られるように保持されている。また電池ユニットの略コ字状の略中央の２つの充電電池６２間をヒューズ７１を介して接続するとともにヒューズ７１を２つの充電電池６２上にまたがって蓋部６１側に配置している。一方、蓋部６１のヒューズ７１が位置する部位にヒューズ７１を着脱するためのヒューズ出し入れ用開口部８９を設け、ヒューズ出し入れ用開口部８９の周縁に、少なくとも一部でよいが、障壁８８を設けている。実施の形態では障壁８８を平面凸の字形の突部により形成し、その広幅となる中央部およびその外側面にまたがって開口部８９を形成している。ヒューズ７１は障壁８８の下方に位置し、開口部８９より着脱可能としている。１３０はヒューズ支持台である。また両端の電池にリード線７２が接続されて、コネタク部３９に接続されている。
【００３５】
上記したように、電池ケース６０は略コ字状の内側に回路ブロックユニット２を配置する大きさを有し、電池ケース６０の端部に回路ブロックユニット２と電気的接続を行うためのコネクタ部３９を保持するコネクタ保持部７４を有し、コネクタ保持部７４は電池ケース６０の一端部に突設され、コネクタ部３９を挿入させる凹部１２６を有し、凹部１２６の内側面にコネクタ部３９を抜止め係止する爪部７５を有し、凹部１２６の回路ブロックユニット側の側壁１２７の爪部７５の両側に切欠き状のスリット１２８を設けて爪部７５を弾性変形可能に可動にしている。この場合、凹部１２６の前端部を開口させ、凹部１２６の底部の開口側に抜止め部１２９を例えば突設している。一方コネクタ部３９は凹部１２６に嵌合する柱状をなし、基端部の両側にフランジ状の係止片７６を突設するとともに前端面に抜止め部１２９が係止する係当部１３０を例えば溝により形成している。取付けは、図１５（ｂ）に示すように片方の係止片７６を爪部７５の一方に係止するように凹部１２６内に斜めにコネクタ部３９を挿入し、つぎに矢印のようにコネクタ部３９を回動することにより、他方の爪部７５を可動させて係止片７６を可動側爪部７５に係止している。このとき抜止め部１２９が係当部１３０に係止するためコネクタ部３９は開口からも抜け出ることができない。コネクタ部３９は電源ユニット３を回路ブロックユニット２に取付けるのと同時にコネクタ受け部２５に接続される。このとき、可動側の爪部７５の外面は回路ブロックユニット２の側面に当接し、外向きの可動が規制されてコネクタ部３９が外れなくなる。
【００３６】
実施の形態の被取付部３７は電源ユニット３の略コ字形の内周側面の略中央に基端部が取付けられて先端部が取付具１から離れる方向および回路ブロックユニット２の方向に延びた板ばねである。板ばねは基端部７７が広幅になってレの字形に折り畳まれ、基端部７７の中央に係止孔７８を形成し、電池ケース６０の内周面の中央に基端部７７の両側を挿入させる一対の溝部７９を形成し、溝部７９の間に係止孔７８に係止する抜止め爪８０を形成している。また蓋部６１に溝部７９の端部を塞ぐ抜止め部８２を突設している。板ばねはその中間部に係止段部４０を屈曲しており、電源ユニット取付部２３は係止段部４０に係止して電源ユニット３を外れ止めする引掛面２３ａを有し、板ばねの先端部を電源ユニット３の内周側面側に弾性変形することにより係止段部４０を電源ユニット取付部２３から離脱可能としている。板ばねの先端部は電源ユニット３の取り外し操作がしやすいように内向きに曲げている。
【００３７】
カバー９０は有底円筒形であり、底部中央穴９１の内面側にラッパ形の反射鏡９２を配置している。カバー９０の開口縁の内周面に係止片９３を突設し、係止片９３が取付具１のガイド部４６に沿って取付具１の裏面に摺動し押さえ片４７により押さえ固定される。９４はスイッチ用穴である。
【００３８】
照明器具の組み立てについて説明する。取付具１に回路ブロックユニット２をスライドして挟持部１１に被挟持部２１をスライドし、スリット１３に被係止部２２をスライドして係止し、ねじ挿通孔２７を通して被挟持部２１のねじ孔１４にねじを締めつける。天井から引き下ろした電源線８を端子５４に接続し、取付具１の取付部５を通して天井４に木ねじ９６で取付ける。電源ユニット３の段部３６を取付具１の周壁９に嵌合し、同時に突起部３８を凹部２４に嵌合し、係止爪６６および爪受け部６７の組を逃げ凹部５０に位置させるように嵌め、さらにコネクタ部３９をコネタク受け部２５に接続し、電源ユニット３を取付具１に対して押すことにより被取付部３７の板ばねの係止段部４０を引掛面２３ａに引掛け、これにより取付具１に電源ユニット３を取付ける。カバー９０内に反射鏡９２を載せてカバー９０を回路ブロックユニット２および電源ユニット３に被せ、その係止片９３を切欠きよりガイド片４６に沿って摺動し押さえ片４７に押し込む。これにより取付が完了する。穴９１を通して非常灯用ハロゲン電球９９をランプソケットに装着する。
【００３９】
以下、この発明に関する主な構成要素の働き等について説明する。
（１）回路ブロックケース側への端子台固定板の取付
回路ブロック、端子台等を内部に配置することができるブロックケース１４０において、端子台５４を固定した端子台固定板１４５をブロックケース１４０に取付ける際、次のような効果がある。すなわち、ガイド部１６１は先端側で、端子台固定板１４５の左右方向ずれの拘束を果たす。フック部１６０は少なくとも１カ所あればよいが、断面がコの字状態をしていて、端子台固定板１４５の先端部が外れないよう保持する役目をしている。フック部１６０にかかる端子台固定板１４５の先端部分と反対側の端部１４５ａはソケット配置と反対側方向に直角に曲げられており、その曲げ面により下側から上側に立ち上がろうとするソケットのリード線１４１の電線保護（耐シャープエッジ保護性）を果たす。また保持部１６２はねじ１６５により保持を行ってオリ、これは少なくとも１つでもよいが、ケース内部の空間スペースや金型製作上可能な場合には、端部１４５ａの直角曲げ形状を利用してブロックケース１４０側からの少なくとも１カ所に設けた爪部で、端子台固定板１４５の端部１４５ａを係止固定するネジレス化も可能である。上記の機能を有することで、簡単で精度の高い確実な取付が可能となり、下記（２）に示すランプソケット１８を押し当てているばね部１５１とランプソケット１８との接点位置も向上する。
【００４０】
（２）端子台固定板１４５の一部形状の利用でソケット押し付けの板バネ機能を兼用
ブロックケース１４０のソケット挿入部にランプソケット１８が入り、そのソケットリード線１４１側に端子台固定板１４５が蓋をするように配置されている。ここでこのランプソケット１８は、商品の仕様上常に外向きに力が働くようにする必要がある。商品の仕様上とは、反射板の曲面中心位置がランプフィラメント中心位置と一致するように反射板のソケット接触部にソケット前面側が接触していなくてはならない。従来はその外向力を出すためにシリコンゴムを使用しゴムの変形による弾性を利用してテンションをかけていた。シリコンコゴムはソケット裏面側で接触していた。今回の発明品では端子台固定板１４５にばね性のある材料を使用し、端子台固定板１４５の形状一部を変形加工しばね部１５１にすることで部材の複合化を図り、部材の部品点数を削減することができる。またランプソケット１８はランプ点灯時に発熱するため従来仕様の様なシリコンゴムであれば長期間使用し続けると劣化する可能性もあったが、本発明品ではこの可能性が無くなった。
【００４１】
（３）回路ブロックケースへの回路ブロック自体の取付け
ブロックケース１４０の内面側に回路ブロックの基板１７０をガイドするレール部１７１が一対の平行なリブ条により形成されていて、このレール部１７１に沿って基板１７０を挿入する。この基板１７０が一番奥（所定位置）まで到達した際、ブロックケース１４０のレール部１７１のリブ条の一方にあらかじめ形成されている突起部１７３が基板１７０側の孔１７２（例えば回路ブロックの電気特性検査にて使用している位置決め用の孔）に整合し基板１７０が抜け出ないようになっている。
【００４２】
【発明の効果】
請求項１記載の回路ブロックユニットによれば、端子固定板を回路ブロックケースに固定することにより、端子固定板のばね部でランプソケットの後端部を押さえたため、ランプソケットが可動になるとともに、従来例と比較して部品点数を削減でき、ランプ点灯時の熱影響がほとんどなく、商品の組み立て性と信頼性を向上することができる。
【００４３】
請求項２記載の回路ブロックユニットによれば、請求項１と同様な効果のほか、リード線が端子固定板の端部に接触しても曲面に形成されているためリード線の被覆がはがれることがなく安全性が図れる。
【００４４】
請求項３記載の回路ブロックユニットによれば、請求項１または請求項２と同様な効果のほか、レール部に沿った取付けだけで、他の部品等を追加せずに確実な取付固定が可能となる。また回路ブロックの取付けが簡単で取付精度を高くすることができる。
【００４５】
請求項４記載の回路ブロックユニットによれば、請求項１、請求項２または請求項３と同様な効果のほか、ガイド部により端子台固定板の横ずれが防止されるのでフック部に引っ掛けるとともに保持部で保持する取付け作業が容易になる。
【００４６】
請求項５記載の照明器具によれば、取付具に回路ブロックユニットを取付け、電源ユニットを回路ブロックユニットに係止することにより電源ユニットを取付具に取付けることができ、取付具の電源ユニット取付け手段を簡略化できる。
【００４７】
請求項６記載の照明器具によれば、請求項５と同様な効果のほか、電源ユニットとブロックケースとの係止がより外れにくくなり、電源ユニットおよび回路ブロックを取付ける取付具に設ける横ずれ防止手段を簡略化できる。
【図面の簡単な説明】
【図１】この発明の一実施の形態の照明器具の天井取付状態の断面図である。
【図２】照明器具の分解斜視図である。
【図３】取付具および回路ブロックユニットを示し、（ａ）はその組み立て状態の底面図、（ｂ）はコードカバーを含む側面図、（ｃ）は取付具の底面図である。
【図４】（ａ）は取付具、回路ブロックユニットおよび電源ユニットの組み立て状態の一部破断側面図、（ｂ）はそのコネクタ部分の接続状態の部分斜視図、（ｃ）はコネクタ部分の接続を外した状態の部分斜視図である。
【図５】図１の断面図である。
【図６】（ａ）は回路ブロックユニットの平面図、（ｂ）はその側面図である。
【図７】回路ブロックユニットの底面図である。
【図８】ブロックケースの平面図である。
【図９】その嵌合部にランプソケットを挿着した状態の部分平面図である。
【図１０】回路ブロックの収納を示し、（ａ）は収納状態の概略断面図、（ｂ）は収納完了前の状態の概略断面図、（ｃ）は収納状態の回路ブロックを正面側からみた概略断面図である。
【図１１】（ａ）は端子台固定板の底面図、（ｂ）はその正面図である。
【図１２】（ａ）は端子台の背面図、（ｂ）は端子台の側面図、（ｃ）はその正面図である。
【図１３】電源ユニットの平面図である。
【図１４】その正面図である。
【図１５】（ａ）は電源ユニットの蓋部を外した状態の平面図、（ｂ）はコネクタ保持部のコネクタ部の取付けの説明図である。
【符号の説明】
２    回路ブロックユニット
３    電源ユニット
１８    ランプソケット
１９    回路ブロック
２３    電源ユニット取付部（係止部）
２４    凹部
３７    被取付部（爪部）
３８    突起部
５４    端子台
１４０    ブロックケース
１４２    リード線
１４５    端子台固定板
１４５ａ    端部
１４７    ブロック収納部
１４８    貫通穴付嵌合部
１４９    固定部
１５１    ばね部
１６０    フック部
１６１    ガイド部
１６２    保持部
１７０    基板
１７１    レール部
１７２    係止孔
１７３    突起部
【図１】
2004185843.tif 000003
【図２】
2004185843.tif 000004
【図３】
2004185843.tif 000005
【図４】
2004185843.tif 000006
【図５】
2004185843.tif 000007
【図６】
2004185843.tif 000008
【図７】
2004185843.tif 000009
【図８】
2004185843.tif 000010
【図９】
2004185843.tif 000011
【図１０】
2004185843.tif 000012
【図１１】
2004185843.tif 000013
【図１２】
2004185843.tif 000014
【図１３】
2004185843.tif 000015
【図１４】
2004185843.tif 000016
【図１５】
2004185843.tif 000017